(57)【要約】【課題】回転操作部上に任意の役割を持つ凸釦を形成させ、回転操作後は元の位置に凸釦を再形成することにより、操作性向上を可能にした電子機器を提供すること。【解決手段】回転操作が可能な回転操作部において、回転操作部は、表面に任意の役割を持つ凸釦を形成でき、前記凸釦は絶対位置を記憶する事ができ、前記凸釦が回転操作により絶対位置から動き、且つ前記凸釦の入力が検知されていない場合、絶対位置に再度凸釦を形成することができることを特徴とする。【選択図】図４
2019074577.tif 000002
【特許請求の範囲】
【請求項１】
回転操作が可能な回転操作部（７４）において、
回転操作部（７４）は、表面に任意の役割を持つ凸釦（３０６、４０６）を形成でき、
前記凸釦（３０６、４０６）は絶対位置を記憶する事ができ、
前記凸釦（３０６、４０６）が回転操作により絶対位置から移動し、且つ前記凸釦（３０６、４０６）の入力が検知されていない場合、絶対位置に再度凸釦（３０６、４０６）を形成することができることを特徴とする電子機器。
【請求項２】
筒体の外周面上に任意の役割を持つ凸釦（３０６、４０６）を形成できる回転操作部（７９）を持ち、
前記凸釦（３０６、４０６）は絶対位置を記憶する事ができ、
前記凸釦（３０６、４０６）が回転操作により絶対位置から移動し、且つ前記凸釦（３０６、４０６）の入力が検知されていない場合、絶対位置に再度凸釦（３０６、４０６）を形成することができることを特徴とする電子機器。
【請求項３】
前記凸釦（３０６、４０６）は、任意の機能を割り当てる事が可能であることを特徴とする請求項１又は請求項２に記載の電子機器。
【請求項４】
前記凸釦（３０６、４０６）の場所は、任意に変更可能であることを特徴とする請求項１乃至請求項３の何れか一項に記載の電子機器。
【発明の詳細な説明】
【技術分野】
【０００１】
本発明は、凸形成部を備えた電子機器と、その制御装置に関する。
【背景技術】
【０００２】
ビデオカメラ、デジタルスチルカメラ、携帯電話等の電子機器の小型化が進むと、電子機器に設けられる操作部材の配置領域も制約される。その反面、多機能化やデザインの差別化により、操作部材の数は増加する傾向にある。また、操作性の面から考えると、多数の操作ボタンが整然と並んでいるだけでは、操作性が悪くなってしまう。操作部材の数を減少させ、操作性を向上させるために、エンドレスに回転する回転操作部が用いられることが多い。
【０００３】
このような回転操作部を用いた操作入力装置としては、特許文献１において提案されているものがある。この操作入力装置では、回転操作部と、該回転操作部の中央に形成された凹部内に配置された複数の押しボタンとを有する。回転操作部を回転させるとその位置が検出され、該位置に対応した電子機器の動作パラメータを選択又は設定することができる。また、凹部内に配置された複数の押しボタンを操作することで、回転操作部とは別の選択又は設定操作を行うことができる。
【先行技術文献】
【特許文献】
【０００４】
【特許文献１】特開２００２−４９４６３号公報
【発明の概要】
【発明が解決しようとする課題】
【０００５】
しかしながら、特許文献１にて提案の操作入力装置では、操作者は回転操作部の中央の釦の操作と回転操作部の回転操作を別々に行う必要があり、操作が複雑になってしまっている。
【０００６】
そこで、本発明の目的は、上述した従来の問題点に着目し、回転操作部上に任意の役割を持つ凸釦を形成させ、回転操作後は元の位置に凸釦を再形成することにより、操作性向上を可能にした電子機器を提供することにある。
【課題を解決するための手段】
【０００７】
上記の目的を達成するために、本発明に係る電子機器は、
回転操作が可能な回転操作部において、
回転操作部は、表面に任意の役割を持つ凸釦を形成でき、
前記凸釦は絶対位置を記憶する事ができ、
前記凸釦が回転操作により絶対位置から動き、且つ前記凸釦の入力が検知されていない場合、絶対位置に再度凸釦を形成することができることを特徴とする。
【発明の効果】
【０００８】
本発明によれば、回転可能な操作部材において、操作部材を増やすことなく、操作性の向上を可能にした電子機器を提供することができる。
【図面の簡単な説明】
【０００９】
【図１（ａ）】本実施形態の撮像装置１００の外観斜視図である。
【図１（ｂ）】本実施形態の撮像装置１００の外観斜視図である。
【図２】本実施形態の撮像装置１００の構成を示すブロック図である。
【図３（ａ）】本実施形態の触感発生部３００の断面を示した図である。
【図３（ｂ）】本実施形態の触感発生部４００の断面を示した図である。
【図４】実施形態１の回転操作部７４の詳細を示した図である。
【図５】本実施形態の処理を示したフローチャートである。
【図６】実施形態２の回転操作部７９の詳細を示した図である。
【発明を実施するための形態】
【００１０】
以下、本発明を実施するための形態について、図面を参照しながら説明する。
【００１１】
［実施例１］
以下に、本発明を実施するための好ましい実施の形態１を、添付の図１及び図２を用いて説明する。
【００１２】
図１（ａ）、（ｂ）は本発明の実施形態である回転操作部装置を備えた電子機器としての撮像装置としての外観を示している。図１（ａ）は撮像装置１００の前面斜視図であり、図１（ｂ）は撮像装置１００の背面斜視図である。
【００１３】
撮像装置１００において、表示部４０は撮影画像や各種情報を表示可能である。また撮影者は表示部４０を見ながら、後述する触感発生部３００ないしは４００上の凸釦部３０６、４０６の位置、タイミング設定を行う。
【００１４】
レリーズ釦６１は撮影指示を行うための操作部である。モード切り替え回転操作部６０は、動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。
【００１５】
メイン電子回転操作部７１は回転操作部材であり、このメイン電子回転操作部７１を回すことで、モード切り替え回転操作部６０にて設定されたモードに応じてシャッター速度や絞りなどの設定値の変更等を行う。
【００１６】
電源スイッチ７２は撮像装置１００の電源のＯＮ及びＯＦＦを切り替える操作部材である。
【００１７】
回転操作部７４は、回転操作が可能な操作部であり、項目の選択に用いられる。
【００１８】
ＳＥＴ釦７５は押し釦であり、主に選択項目の決定などに用いられる。
【００１９】
拡大釦７７は、撮影モードのＬＶ表示において拡大モードのＯＮ、ＯＦＦ、及び拡大モード中の拡大率の変更を行うための操作釦である。再生モードにおいては再生画像を拡大し、拡大率を増加させるための拡大釦として機能する。
【００２０】
再生釦７８は、撮影モードと再生モードとを切り替える操作釦である。撮影モード中に再生釦７８を押下することで再生モードに移行し、不図示の記録媒体２００に記録された画像のうち最新の画像を表示部４０に表示させることが可能である。
【００２１】
クイックリターンミラー１２（以下、ミラー１２）は、不図示のシステム制御部８０の指示により、アクチュエータを動作させることでアップダウンされる。
【００２２】
ファインダー１６は、図１では不図示のペンタプリズム１４を介してフォーカシングスクリーン１３を観察することで、レンズユニット１５０を通して得た被写体像の焦点や構図の確認を行うための光学ファインダーである。
【００２３】
グリップ部９０は、撮影者が撮像装置１００を構えた際に右手で握りやすい形状とした把持部である。
【００２４】
図２は、本実施形態による撮像装置１００の構成例を示すブロック図である。
【００２５】
図２において、レンズユニット１５０は、交換可能な撮影レンズを搭載するレンズユニットである。
【００２６】
レンズ１０３は通常、複数枚のレンズから構成されるが、ここでは簡略して一枚のレンズのみで示している。
【００２７】
レンズ側通信端子６はレンズユニット１５０が撮像装置１００側と通信を行うための通信端子であり、カメラ側通信端子１０は撮像装置１００がレンズユニット１５０側と通信を行うための通信端子である。
【００２８】
レンズユニット１５０は、この通信端子６、１０を介してシステム制御部８０と通信し、レンズユニット１５０内部のレンズシステム制御回路４によって絞り駆動回路２を介して絞り１０２の制御を行い、ＡＦ駆動回路３を介して、レンズ１０３の位置を変位させることで焦点を合わせる。
【００２９】
測光部１７は、レンズユニット１５０を通した被写体の輝度を測光する。
【００３０】
焦点検出部１１は、システム制御部８０にデフォーカス量情報を出力する。
【００３１】
システム制御部８０はそれに基づいてレンズユニット１５０を制御し、位相差ＡＦを行う。
【００３２】
ミラー１２は、露光、ライブビュー撮影、動画撮影の際にシステム制御部８０から指示されて、不図示のアクチュエータによりアップダウンされる。ミラー１２は、レンズ１０３から入射した光束をファインダー１６側と撮像部２２側とに切り替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３３】
撮影者は、ペンタプリズム１４とファインダー１６を介して、フォーカシングスクリーン１３を観察することで、レンズユニット１５０を通して得た被写体の光学像の焦点や構図の確認が可能となる。
【００３４】
ファインダー内表示部２６は、フォーカシングスクリーン１３へＬＥＤ光を投光する装置であり、観察される被写体像に測距点や測距エリアなどの情報をファインダー１６内に表示する（スーパーインポーズする）ために用いられる。
【００３５】
アイピースシャッター２１は、ファインダー１６を用いず撮像する際に閉じることで、ファインダー１６からの入射光を防ぐためのシャッターである。
【００３６】
シャッター１０１は、システム制御部８０の制御で撮像部２２の露光時間を自由に制御できるフォーカルプレーンシャッターである。
【００３７】
撮像部２２は光学像を電気信号に変換するＣＣＤやＣＭＯＳ素子等で構成される撮像素子である。
【００３８】
Ａ／Ｄ変換器２３は、アナログ信号をデジタル信号に変換する。Ａ／Ｄ変換器２３は、撮像部２２から出力されるアナログ信号をデジタル信号に変換するために用いられる。
【００３９】
画像処理部２５は、Ａ／Ｄ変換器２３からのデータ、またはメモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部８０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００４０】
Ａ／Ｄ変換器２３からの出力データは、画像処理部２５及びメモリ制御部１５を介して、メモリ３２に直接書き込まれる。
【００４１】
メモリ３２は、撮像部２２によって得られＡ／Ｄ変換器２３によりデジタルデータに変換された画像データや、表示部４０に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。
【００４２】
Ｄ／Ａ変換器２４は、メモリ３２に格納されている画像表示用のデータをアナログ信号に変換して表示部４０に供給する。こうして、メモリ３２に書き込まれた表示用の画像データはＤ／Ａ変換器２４を介して表示部４０により表示される。
【００４３】
表示部４０は、Ｄ／Ａ変換器２４からのアナログ信号に応じた表示を行う。Ａ／Ｄ変換器２３によって一度Ａ／Ｄ変換されメモリ３２に蓄積されたデジタル信号をＤ／Ａ変換器２４においてアナログ変換し、表示部４０に逐次転送して表示することで、電子ビューファインダーとして機能し、スルー画像表示（ライブビュー表示）を行える。
【００４４】
不揮発性メモリ５６は、電気的に消去・記録可能なメモリであり、例えばＥＥＰＲＯＭ等が用いられる。不揮発性メモリ５６には、システム制御部８０の動作用の定数、プログラム等が記憶される。
【００４５】
システム制御部８０は、撮像装置１００全体を制御する。前述した不揮発性メモリ５６に記録されたプログラムを実行することで、各処理を実現する。５２はシステムメモリであり、ＲＡＭが用いられる。システムメモリ５２には、システム制御部８０の動作用の定数、変数、不揮発性メモリ５６から読み出したプログラム等を展開する。また、システム制御部８０はメモリ３２、Ｄ／Ａ変換器２４、表示部４０等を制御することにより表示制御も行う。
【００４６】
モード切り替え回転操作部６０、第１レリーズスイッチ６２、第２レリーズスイッチ６４、操作部７０はシステム制御部８０に各種の動作指示を入力するための操作手段である。
【００４７】
モード切り替え回転操作部６０は、システム制御部８０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。モード切り替え回転操作部６０で、静止画撮影モードに含まれるこれらのモードのいずれかに直接切り替えられる。あるいは、モード切り替え回転操作部６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００４８】
第１レリーズスイッチ６２は、撮像装置１００に設けられたレリーズ釦６１の操作途中、いわゆる半押し（撮影準備指示）でＯＮとなり第１レリーズスイッチ信号ＳＷ１を発生する。第１レリーズスイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００４９】
第２レリーズスイッチ６４は、レリーズ釦６１の操作完了、いわゆる全押し（撮影指示）でＯＮとなり、第２レリーズスイッチ信号ＳＷ２を発生する。システム制御部８０は、第２レリーズスイッチ信号ＳＷ２により、撮像部２２からの信号読み出しから記録媒体２００に画像データを書き込むまでの一連の撮影処理の動作を開始する。
【００５０】
操作部７０の各操作部材は、表示部４０に表示される種々の機能アイコンを選択操作することなどにより、場面ごとに適宜機能が割り当てられ、各種機能釦として作用する。機能釦としては、例えば終了釦、戻る釦、画像送り釦、ジャンプ釦、絞込み釦、属性変更釦等がある。例えば、メニュー釦が押されると各種の設定可能なメニュー画面が表示部４０に表示される。利用者は、表示部４０に表示されたメニュー画面と、上下左右の４方向釦やＳＥＴ釦とを用いて直感的に各種設定を行うことができる。操作部７０は、撮影者からの操作を受け付ける入力部としての各種操作部材である。操作部７０には、少なくともレリーズ釦６１、メイン電子回転操作部７１、電源スイッチ７２、回転操作部７４、ＳＥＴ釦７５、ＬＶ釦７６、拡大釦７７、再生釦７８が含まれる。
【００５１】
電源制御部８５は、電池検出回路、ＤＣ−ＤＣコンバータ、通電するブロックを切り替えるスイッチ回路等により構成され、電池の装着の有無、電池の種類、電池残量の検出を行う。また、電源制御部８５は、その検出結果及びシステム制御部８０の指示に基づいてＤＣ−ＤＣコンバータを制御し、必要な電圧を必要な期間、記録媒体２００を含む各部へ供給する。
【００５２】
記録媒体Ｉ／Ｆ２０は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００５３】
接眼検出部１８は撮影者がファインダー１６を覗いていることを検出するためのセンサーであり、ファインダー１６付近に設定された赤外発光装置及びその反射光の受光装置で構成されている。
【００５４】
以下、図３および図４を用いて、回転操作部７４を含む本実施例の回転操作部の構成について説明する。
【００５５】
回転操作部７４には、後述するタッチ検出部３０３ないし４０３と、触感発生部３００ないし４００が配置されている。タッチ検出部３０３ないし４０３は、一般的にタッチパネルに使用される静電容量方式や抵抗膜方式による検出デバイスで、撮影者が触れた位置と、押下したかどうかを検出するデバイスである。触感発生部には、電気信号伸縮タイプ３００、流体ポンプ駆動タイプ４００の２種類があるが、それぞれの原理を以下に示す。
【００５６】
図３（ａ）は、電気信号収縮による触感発生部３００の断面図である。
【００５７】
３０１は表面フィルム、３０２は垂直方向に電解伸縮する素材で構成されたアクチュエータ、３０３はタッチ検出部、３０５は駆動回路である。まず、駆動回路３０５によって、タッチ検出部３０３とアクチュエータ３０２を起動、対応させる。その後、駆動回路３０５からアクチュエータ３０２の所定の電極３０２ａ〜３０２ｌに電気信号を送ることでそれぞれのアクチュエータを垂直方向に膨張させ、凸部３０６を形成する。また、駆動電圧を変化させることにより、アクチュエータ３０２の膨張量を制御し、凸部３０６の高さを変化させることが可能である。
【００５８】
撮影者が凸部３０６を押下すると、凸部３０６の押し込みによる電極３０２ａ〜３０２ｌの逆起電力を駆動回路３０５が検出し、押下されたか否かを検出する。押下された位置は、タッチ検出部３０３によって検知される。
【００５９】
図３（ｂ）は、流体ポンプ駆動による触感発生部４００の断面図である。
【００６０】
４０１は表面フィルム、４０２は流体室、４０３はタッチ検出部、４０４は流路、４０５は流体駆動ポンプである。流体駆動ポンプ４０５から空気や粘度の低い液体などの流体が各流路４０４ａ〜４０４ｅを伝って流体室４０２に送られる。流体によって膨張された流体室４０２によって、凸部４０６が形成される。また、流体室４０２に流入させる流量によって凸部４０６の高さを変化させることが可能である。
【００６１】
撮影者が凸部４０６を押下すると、流体の逆流、またタッチ検出部４０３により、押下されたか否か、及び押下された位置を検出する。
【００６２】
図４は、図１における回転操作部７４の凸釦発生図である。
【００６３】
回転操作部７４には、上記の電気信号収縮タイプ３００、流体ポンプ駆動タイプ４００いずれかの触感発生部が備えられている。
【００６４】
操作者は、任意の凸釦部３０６、４０６の位置を決め、操作釦として使用することが可能である。また、凸釦部３０６、４０６の機能も任意の機能を割り当てることが可能である。
【００６５】
ここで、回転操作部７４を回転させてしまうと、釦の位置が回転してしまい、操作者は次の操作の前に凸釦の位置を確認しなければならない。そこで、前述の凸釦部は、操作者が設定した任意の位置を記憶しておき、回転操作後、元の位置に再度凸釦を形成する事が可能であり、これにより操作性を向上させることができる。
【００６６】
上記撮影時の触感発生部３００、４００の挙動を、図５のフローチャートを用いて示す。
【００６７】
Ｓ５０１において、撮影者が回転操作部７４に凸釦部３０６、４０６を設定・配置を行う。
【００６８】
Ｓ５０２で凸釦の入力をした場合、Ｓ５０３にて釦操作を検知し、次にＳ５０４で回転操作検知を行う。
【００６９】
続いて、Ｓ５０５にて凸釦部３０６、４０６を指から離したかどうかを検出する。
指から離した場合（Ｓ５０５でＹＥＳ）、凸釦はＳ５０１で設定した位置に再度形成する（Ｓ５０６）。
【００７０】
指から離していない場合（Ｓ５０５でＮＯ）、Ｓ５０４の回転操作検知に戻る。
【００７１】
また、Ｓ５０２で凸釦の入力をしなかった場合、Ｓ５０７で回転検知を行い、Ｓ５０２に戻る。
【００７２】
本実施形態で述べた触感発生部３００、４００を使用することにより、撮影者は回転操作部７４の任意の位置に凸釦部３０６、４０６を配置し、その凸釦部３０６、４０６に任意の釦機能を割り当てることができる。更に、回転操作を終えて指を離した後は自動的に元の位置に凸釦が再形成するため、カメラ１００の操作性を向上することができる。
【００７３】
［実施例２］
以下に、本発明を実施するための好ましい実施の形態２を、添付の図面に基づいて詳細に説明する。
【００７４】
図６は、本発明の実施形態２における、レンズユニット１５０の側面図である。
【００７５】
実施形態２においては、図６に示すように、レンズユニット１５０の外周上に回転操作部７９が備わっており、回転操作部７９の回転により、レンズ１０３の位置を変位させることで、手動で焦点を調整する事が可能である。
【００７６】
回転操作部７９上に、上記の電気信号収縮タイプ３００、流体ポンプ駆動タイプ４００いずれかの触感発生部が備えられている。
【００７７】
操作者は、任意の凸釦部３０６ｅ、４０６ｅの位置を決め、操作釦として使用することが可能である。また、凸釦部３０６ｅ、４０６ｅの機能も任意の機能を割り当てることが可能である。
【００７８】
その他の構成、挙動は実施形態１と同様である。
【００７９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
７４，７９  回転操作部、３００，４００  触感発生部、
３０１，４０１  表面フィルム、３０２  アクチュエータ、４０２  流体室、
３０３，４０３  タッチ検出部、３０６，４０６  凸釦部
【図１（ａ）】
2019074577.tif 000003
【図１（ｂ）】
2019074577.tif 000004
【図２】
2019074577.tif 000005
【図３（ａ）】
2019074577.tif 000006
【図３（ｂ）】
2019074577.tif 000007
【図４】
2019074577.tif 000008
【図５】
2019074577.tif 000009
【図６】
2019074577.tif 000010